(57)【要約】【課題】縁無薄畳の畳裏面の平坦性を確保し、畳裏面の仕上がりを良好にするため、畳床裏面を畳表の厚み分だけ切除し、前記切除幅Ｌｉｎに合わせて畳表の側縁の余剰を裁断、除去する縁無薄畳仕上げ装置を提供する。【解決手段】定規１０を設けた上面６に縁無薄畳の畳床４を載せる作業台５と、定規１０に平行で前記上面６に対して接近又は離反自在に作業台５に取り付けた畳床押え９と、畳床裏面７に畳表８の厚み分だけ刺し込める切除カッタ１を備えた移動ベース３と、この移動ベース３を畳床押え９に沿って前進又は後進させる駆動モータ１６とからなり、移動ベース３は畳床押え９に配した駆動ローラ１３及び従動ローラ１４に掛け渡したタイミングベルト１５に接続し、駆動ローラ１３を駆動モータ１６で正転又は逆転することにより移動ベース３を畳床押え９に沿って前進又は後進させる縁無薄畳仕上げ装置である。【選択図】        図１
2005016003.tif 000002
【特許請求の範囲】
【請求項１】
定規を設けた上面に縁無薄畳の畳床を載せる作業台と、定規に平行で前記上面に対して接近又は離反自在に作業台に取り付けた畳床押えと、畳床裏面に畳表の厚み分だけ刺し込める切除カッタを備えた移動ベースと、該移動ベースを畳床押えに沿って前進又は後進させる駆動手段とからなり、移動ベースは畳床押えに配した駆動ローラ及び従動ローラに掛け渡したタイミングベルトに接続し、駆動ローラを駆動手段で正転又は逆転することにより移動ベースを畳床押えに沿って前進又は後進させてなり、定規に側縁を当接させた畳床を裏返しに作業台の上面に置き、該畳床を畳床押えで押えた状態で該畳押さえに沿って移動ベースを前進又は後進させることにより側縁から一定距離の範囲で畳床裏面を切除カッタにより切除してなる縁無薄畳仕上げ装置。
【請求項２】
切除カッタは、移動ベースの前後進行方向と直交する向きで作業台の上面と平行に移動ベースに対して接近又は離反自在に該移動ベースに取り付けてなる請求項１記載の縁無薄畳仕上げ装置。
【請求項３】
切除カッタは、作業台の上面に対して接近又は離反自在に該移動ベースに取り付けてなる請求項１記載の縁無薄畳仕上げ装置。
【請求項４】
定規を設けた上面に縁無薄畳の畳床を載せる作業台と、定規に平行で前記上面に対して接近又は離反自在に作業台に取り付けた畳床押えと、畳表を挟持して裁断する裁断カッタを備えた移動ベースと、該移動ベースを畳床押えに沿って前進又は後進させる駆動手段とからなり、移動ベースは畳床押えに配した駆動ローラ及び従動ローラに掛け渡したタイミングベルトに接続し、駆動ローラを駆動手段で正転又は逆転することにより移動ベースを畳床押えに沿って前進又は後進させてなり、定規に側縁を当接させた畳床を上向きに作業台の上面に置き、該畳床を畳床押えで押えた状態で該畳押さえに沿って移動ベースを前進又は後進させることにより側縁から一定距離以上に突出する畳表を裁断カッタにより裁断してなる縁無薄畳仕上げ装置。
【請求項５】
裁断カッタは、周方向に延びる凹溝を設けた受けローラと、前記凹溝に隙間を設けて嵌まり込むロータリカッタとからなる請求項４記載の縁無薄畳仕上げ装置。
【請求項６】
裁断カッタは、移動ベースの前後進行方向と直交する向きで作業台の上面と平行に移動ベースに対して接近又は離反自在に該移動ベースに取り付けてなる請求項４記載の縁無薄畳仕上げ装置。
【発明の詳細な説明】
【０００１】
【発明の属する技術分野】
本発明は、縁無薄畳の製造に際し、畳裏面の仕上がりを良好にするため、畳床裏面を畳表の厚み分だけ切除し、前記切除幅Ｌｉｎに合わせて畳表の側縁の余剰を裁断、除去する縁無薄畳仕上げ装置に関する。
【０００２】
【従来の技術】
従来の畳では、畳表の両端は両框に掛け回し、畳床裏面に止着している。このため、框においては、止着する畳表の分だけ厚くなるが、特に畳床の厚みがあるので、特に問題になることはない。また、上前及び下前に位置する畳表の両側縁は畳縁を被せているため、特に見栄えを気にする必要はなく、例えば特許文献１に見られる畳表切断定規等を用い、畳床の幅に合わせて畳表の側縁における余剰を適宜切除するだけでよい。
【０００３】
【特許文献１】
実開平０６−０１５９９１号公報（４〜８頁、図１）
【０００４】
【発明が解決しようとする課題】
近年、フローリングに縁無薄畳を敷き詰める様式が好まれて利用される。こうした縁無薄畳の利用形態では、フローリングに対して敷き詰めた際、各縁無薄畳の表面が均一に揃うことが必要となる。このため、畳表面のみならず、畳裏面の平坦性が要求される。ところが、従来の畳表切断定規等は、上前又は下前の畳表を直線性よく切除するだけで、畳床裏面に折り返した畳表によって畳裏面に部分的な段差が生じてしまう。そこで、縁無薄畳の畳裏面の平坦性を確保し、畳裏面の仕上がりを良好にするため、畳床裏面を畳表の厚み分だけ切除し、前記切除幅Ｌｉｎに合わせて畳表の側縁の余剰を裁断、除去する縁無薄畳仕上げ装置を開発するため、検討した。
【０００５】
【課題を解決するための手段】
検討の結果開発したものが、定規を設けた上面に縁無薄畳の畳床を載せる作業台と、定規に平行で前記上面に対して接近又は離反自在に作業台に取り付けた畳床押えと、畳床裏面に畳表の厚み分だけ刺し込める切除カッタを備えた移動ベースと、この移動ベースを畳床押えに沿って前進又は後進させる駆動手段とからなり、移動ベースは畳床押えに配した駆動ローラ及び従動ローラに掛け渡したタイミングベルトに接続し、駆動ローラを駆動手段で正転又は逆転することにより移動ベースを畳床押えに沿って前進又は後進させてなり、定規に側縁を当接させた畳床を裏返しに作業台の上面に置き、この畳床を畳床押えで押えた状態でこの畳押さえに沿って移動ベースを前進又は後進させることにより側縁から一定距離の範囲で畳床裏面を切除カッタにより切除する縁無薄畳仕上げ装置である。
【０００６】
まず、畳裏面の仕上がりを良好にするには、畳床裏面に折り返した畳表が段差を形成しないことが重要である。上記縁無薄畳仕上げ装置は、こうした畳床裏面に折り返した畳表分の厚さで、予め畳床裏面を切除しておくことで、折り返した畳表による段差を形成させない。縁無薄畳の畳床としてはいくつか種類があるが、概ね畳床裏面に裏面材を貼着しているため、切除カッタは畳床本体から前記裏面材を切除することになる。切除カッタを備えた移動ベースは、畳床の側縁を当接させた作業台の上面の定規と平行な畳床押えに沿って前進又は後進するため、切除カッタによる畳床裏面の切除部分は、畳床の側縁に沿った平行なものとなり、見栄えよく畳床裏面を切除することができる。
【０００７】
畳床裏面に折り返す畳表の幅は、縁無薄畳の種類によって異なるため、畳床の側縁からの幅は調節できることが望ましい。そこで、切除カッタは、移動ベースの前後進行方向と直交する向きで作業台の上面と平行に移動ベースに対して接近又は離反自在にこの移動ベースに取り付けるとよい。また、作業上、畳床を上向きに作業台の上面に載せることもあるため、切除カッタにより畳表を傷つけないために、切除カッタは、作業台の上面に対して接近又は離反自在にこの移動ベースに取り付けるとよい。これにより、切除カッタは移動ベースに対して水平位置及び垂直位置を調節できるようになる。
【０００８】
より仕上げを奇麗にするには、上記切除カッタによる切除幅Ｌｉｎに合わせて畳表が畳床の側縁から突出する長さを整えることが望ましい。そこで、定規を設けた上面に縁無薄畳の畳床を載せる作業台と、定規に平行で前記上面に対して接近又は離反自在に作業台に取り付けた畳床押えと、畳表を挟持して裁断する裁断カッタを備えた移動ベースと、この移動ベースを畳床押えに沿って前進又は後進させる駆動手段とからなり、移動ベースは畳床押えに配した駆動ローラ及び従動ローラに掛け渡したタイミングベルトに接続し、駆動ローラを駆動手段で正転又は逆転することにより移動ベースを畳床押えに沿って前進又は後進させてなり、定規に側縁を当接させた畳床を上向きに作業台の上面に置き、この畳床を畳床押えで押えた状態でこの畳押さえに沿って移動ベースを前進又は後進させることにより側縁から一定距離以上に突出する畳表を裁断カッタにより裁断する縁無薄畳仕上げ装置を開発した。
【０００９】
本発明の切除カッタ又は裁断カッタを備えた各縁無薄畳仕上げ装置は、各個独立して構成することもできるが、作業台、畳床押え、移動ベース及び駆動手段を共通とし、移動ベースに対して切除カッタ及び裁断カッタを設けるようにしてもよい。この場合、移動ベースを挟んで切除カッタが畳床の側縁より内側に、裁断カッタが畳床の側縁より外側に配置することになる。ここで、裁断カッタは、定規に邪魔されることなく畳表を突出させた状態で畳表を裁断するため、裁断カッタを設けた移動ベースに切除カッタを設けると、切除カッタにより畳表を傷つける虞れがある。こうした場合、上述のように、切除カッタの垂直位置を調節できるようにしておくことが望ましい。
【００１０】
裁断カッタは、畳床の側縁から突出し、自由状態にある畳表を裁断するため、裁断カッタ自身がしっかりと畳表を挟持しておくことが望ましい。こうした裁断カッタとしては、周方向に延びる凹溝を設けた受けローラと、前記凹溝に隙間を設けて嵌まり込むロータリカッタとからなる構成を示すことができる。畳表は受けローラの凹溝にロータリカッタで押し込まれるように屈曲するため、裁断カッタから外れる虞れがなくなる。
【００１１】
裁断カッタは、切除カッタにより切除した畳床裏面の切除幅Ｌｉｎに合わせた畳表の側縁の余剰を裁断、除去することを目的とするが、前記切除幅Ｌｉｎをあまり大きくしたり、逆に小さくすることができない。そこで、適当な切除幅Ｌｉｎに合わせて畳表の裁断代Ｌｏｕｔ（裁断により残す幅）を調節できるように、裁断カッタは、移動ベースの前後進行方向と直交する向きで作業台の上面と平行に移動ベースに対して接近又は離反自在に該移動ベースに取り付けるとよい。同じ移動ベースに切除カッタ及び裁断カッタを設けておくと、互いの調節量を見ながらそれぞれの調節ができるため、好ましい。
【００１２】
【発明の実施の形態】
以下、本発明の実施形態について図を参照しながら説明する。本例は、切除カッタ１及び裁断カッタ２を同一移動ベース３に備えた本発明に基づく縁無薄畳仕上げ装置の一例である。図１は畳床４を裏返して作業台５の上面６に載せ、切除カッタ１により畳床裏面７を設定した切除幅Ｌｉｎで切除している状態を表した正面図、図２は同状態を表した平面図、図３は同状態を表した左側面図、図４は移動ベース３を中心とした部分拡大図、図５は畳床４を上向きに作業台５の上面６に載せ、裁断カッタ２により裁断代Ｌｏｕｔを超える畳表８の余剰を取り除いている状態を表した背面図、そして図６は同状態を表した左側面図である。
【００１３】
本例の縁無薄畳仕上げ装置は、図１〜図３に見られるように、作業台５、畳床押え９、移動ベース３及び駆動手段からなり、図４に見られるように、移動ベース３に切除カッタ１及び裁断カッタ２を備えている。作業台５は、上面６の縁部に板材を固着し、定規１０を構成している。畳床４は、裏返し又は上向きにして側縁を前記定規１０に当接させることで、移動ベース３の切除カッタ１又は裁断カッタ２に対する畳床４の位置及び姿勢（傾き）を特定する。畳床押え９は、定規１０に平行なレール１１を有する正面視略コの字状のアームで、両端を作業台５に軸支した昇降シリンダ１２，１２で支え、前記各昇降シリンダ１２の伸縮により、作業台５の上面６に対して接近又は離反する。
【００１４】
移動ベース３は、畳床押え９に配した駆動ローラ１３及び従動ローラ１４に掛け渡したタイミングベルト１５に接続し、畳床押え９の上面に設けたレール１１へ摺動自在に嵌着している。この移動ベース３は、駆動ローラ１４の正転又は逆転に従って畳床押え９に沿って前進又は後進する。タイミングベルト１５の戻り（下段）は畳床押え９内を通しており、移動ベース３の前進又は後進の邪魔にならない。駆動ローラ１３は、別のタイミングベルト１５により、畳床押え９に付設した駆動モータ１６（駆動手段）と連結している。タイミングベルト１５による動力の伝達は、細かな移動ベース３の前進又は後進を実現し、見栄えのよい縁無薄畳の仕上げに寄与する。
【００１５】
切除カッタ１は、移動ベース３を挟んで畳床４の側縁より内側に、切除側アダプタ１７を介して移動ベース３に取り付けた１枚刃からなる。切除側アダプタ１７は、移動ベース３に固着する切除側クランプ１８を緩めることで、移動ベース３の前後進行方向と直交する向きで作業台５の上面６と平行に移動ベース３に対して連続的に接近又は離反し、切除カッタ１による畳床裏面７の切除幅Ｌｉｎを調節する。また、切除カッタ１は、切除側アダプタ１７に対して作業台５の上面６に対して接近又は離反自在に取り付けてあり、後述する裁断カッタ２を使用するに際して、上方へ待避することにより、畳表８を傷つけないようにしている。更に、安全装置として、切除カッタ１が上方に待避していないと、裁断カッタ２が作動しないようなリミットスイッチ（図示略）を設けると好ましい。
【００１６】
裁断カッタ２は畳床４の側縁より外側に、裁断側アダプタ１９を介して移動ベース３に取り付けたロータリカッタからなり、本例では前記ロータリカッタと対に周方向に延びる凹溝を設けた受けローラ２０を設けている。これにより、畳表８を裁断カッタ（ロータリカッタ）２及び受けローラ２０で挟みながら、ずれなく裁断できる。裁断側アダプタ１９には裁断カッタの駆動モータ２１を取り付けており、移動ベース３に固着する裁断側クランプ２２を緩めることで、移動ベース３の前後進行方向と直交する向きで作業台５の上面６と平行に移動ベース３に対して連続的に接近又は離反し、裁断カッタ２による畳表８の裁断代Ｌｏｕｔを調節する。
【００１７】
縁無薄畳の仕上げ作業は、先に畳床裏面７を側縁から設定した切除幅Ｌｉｎに切除し、続いて前記側縁から突出する畳表８を所定の裁断代Ｌｏｕｔに従って裁断する手順に従う。まず、畳床裏面７を側縁から設定した切除幅Ｌｉｎに切除するため、四辺を直線に整形し、畳床４を裏返した状態で定規１０に側縁を当接させて作業台５の上面６に置く。そして、昇降シリンダ１２，１２を縮退させて畳床押え９を降ろし、畳表８及び畳床４を一体に、作業台５及び畳床押え９で挟み込み、位置固定する。
【００１８】
切除カッタ１による畳床裏面７の切除幅Ｌｉｎは、定規１０を基準として、切除カッタ１の移動ベース３からの距離を加減することで、調節する。具体的には、切除側クランプ１８を緩め、移動ベース３に対して自由にした切除側アダプタ１７を、移動ベース３の前後進行方向と直交する向きで作業台５の上面６と平行に移動ベース３に対して連続的に接近又は離反することにより、定規１０に当接した畳床４の側縁から切除カッタ１までの距離、すなわち畳床裏面７の切除幅Ｌｉｎを調節する。
【００１９】
また、切除カッタ１は、作業台５の上面６に対して接近又は離反自在に切除側アダプタ１７に取り付けている。このため、予め畳床裏面７に畳表の厚み分だけ刺し込めるだけ畳床押え９より下方へ突出させておけば、上述の畳床押え９により畳床４を押圧すると、既に切除カッタ１の先端が畳床裏面７に刺し込まれた状態となる。
【００２０】
こうして切除幅Ｌｉｎを調整し、畳床裏面７に刺し込んだ状態とした切除カッタ１は、図１〜図３に見られるように、駆動モータ１６によりタイミングベルト１５を周回させ、移動ベース３を移動させれば、畳床裏面７を側縁より設定した切除幅Ｌｉｎで切除できる。本例の切除カッタ１は片刃であるため、装置背面に向かって右から左への移動時のみ、畳床裏面７を切除できる（図１参照）。ここまでの手順を畳床４の各辺に対して施せば、畳床裏面７の四方を側縁から設定した切除幅Ｌｉｎでそれぞれ切除できる。
【００２１】
次に、四方を設定した切除幅Ｌｉｎで切除した畳床４に対して畳表８を取り付ける。まず、框に相当する側縁に沿った切除部位に畳表８の両端をそれぞれ宛てがい、畳床４に巻き付けるように畳表８の前記両端を畳床裏面７に固着する。この畳表８両端の固着作業は、作業台５の上面６に畳表８を敷いた後、この畳表８に畳床４を裏返して載せた状態で実施するとよい。
【００２２】
框に相当する側縁に畳表を固着した後、畳表８及び畳床４を一体に引っ繰り返し、畳床４を上向きに作業台５の上面６に載せて、向きを９０度変えて、上前又は下前に相当する側縁から突出する畳表８を裁断する。裁断カッタ２による畳表８の裁断代Ｌｏｕｔは、定規１０を基準として、裁断カッタ２の移動ベース３からの距離を加減することで、調節する。
【００２３】
具体的には、裁断側クランプ２２を緩め、移動ベース３に対して自由にした裁断側アダプタ１９を、移動ベース３の前後進行方向と直交する向きで作業台５の上面６と平行に移動ベース３に対して連続的に接近又は離反することにより、定規１０に当接した畳床４の側縁から裁断カッタ２までの距離、すなわち畳表８の裁断代Ｌｏｕｔを調節する。この裁断代Ｌｏｕｔは、畳床４の側縁の厚みと上記切除幅Ｌｉｎとを合わせた長さとなる。
【００２４】
こうして裁断代Ｌｏｕｔを調整した裁断カッタ２は、図５及び図６に見られるように、受けローラ２０と対になって畳表８を挟持し、駆動モータ１６によりタイミングベルト１５を周回させて移動ベース３を移動させれば、畳表８の側縁を前記裁断代Ｌｏｕｔの突出に合わせて裁断、除去できる。本例の裁断カッタ２はロータリカッタであるため、移動ベース３が前進又は後進しても畳表８を裁断することができる。しかし、例えば切除カッタ１及び裁断カッタ２をいずれか一方のみ使用できるようにした場合、装置正面に向かって右から左への移動時のみ、畳表８を切除できるようにするとよい（図５参照）。
【００２５】
切除カッタ１及び裁断カッタ２ををいずれか一方のみ使用する場合、切除カッタ１の上方への待避を検知する上述のリミットスイッチ等を利用するとよい。これにより、裁断カッタ２を使用する際には、切除カッタ１は切除側アダプタ１７に対して作業台５の上面６に対して必ず離反して上方へ待避することになり、裁断カッタ２による作業の間に畳表８を傷つけないようにできる。この手順を上前相当及び下前相当の各辺について施せば、上述の切除幅Ｌｉｎで切除した畳床裏面７に向けて丁度の長さで畳表８の側縁を折り返すことができる。
【００２６】
実際には、畳床４の角部における折り返した畳表８相互の重なり合いを防ぐため、更に前記角部に相当する畳表８の部分を斜めに切除した後、上前及び下前に相当する辺に対して畳表８を折り返し、タッカ止めする。これにより、畳床４の角部における畳表８の重なり合いも解消され、折り返した畳表８はいずれも切除された畳床裏面７に固着するため、残る畳床裏面７と面一となり、縁無薄畳の畳裏面の平坦性を確保できるようになる。こうして、本発明の縁無薄畳仕上げ装置を用いることにより、畳裏面の仕上がりがよく、全体としても見栄えのよい縁無薄畳が提供できるようになる。
【００２７】
【発明の効果】
本発明の縁無薄畳仕上げ装置により、畳床裏面において折り返した畳表による段差が縁無薄畳の畳裏面の平坦性を確保し、畳裏面の仕上がりを良好にすることが容易にできるようになる。具体的には、畳床裏面を畳表の厚み分だけ切除し、前記切除幅Ｌｉｎに合わせて畳表の側縁の余剰を裁断、除去することにより、見栄えのよい縁無薄畳が提供できるようになる。
【図面の簡単な説明】
【図１】畳床を裏返して作業台の上面に載せ、切除カッタにより畳床裏面を設定した切除幅で切除している状態を表した正面図である。
【図２】同状態を表した平面図である。
【図３】同状態を表した左側面図である。
【図４】移動ベースを中心とした部分拡大図である。
【図５】畳床を上向きに作業台の上面に載せ、裁断カッタにより裁断代を超える畳表の余剰を取り除いている状態を表した背面図である。
【図６】同状態を表した左側面図である。
【符号の説明】
１  切除カッタ
２  裁断カッタ
３  移動ベース
４  畳床
５  作業台
６  上面
７  畳床裏面
８  畳表
９  畳床押え
１０  定規
１１  レール
１３  駆動ローラ
１４  従動ローラ
１５  タイミングベルト
１６  駆動モータ
Ｌｉｎ  切除幅
Ｌｏｕｔ  裁断代
【図１】
2005016003.tif 000003
【図２】
2005016003.tif 000004
【図３】
2005016003.tif 000005
【図４】
2005016003.tif 000006
【図５】
2005016003.tif 000007
【図６】
2005016003.tif 000008